【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
電配（電話）回線を用いる有料テレビ番組の送信受信システムであって、視聴者は、ダイヤルして交換接続機を作動させて、視聴したい番組のテレビ放送局の送信機に自分の受信機を接続させ、テレビ番組を受信できるようにし、そして番組を連続して視聴する場合も含めて、目的の番組放送時間内の受信には視聴料を請求し、目的の番組の前の番組の後半の一部分を受信してもその部分の視聴料は請求しないようにし、また目的番組の次の番組に一定時間食い込んで受信を中止しても目的番組の視聴料しか請求しないようにした番組視聴料請求機を設けて電話料金のように番組視聴料を請求するようにした、電話回線によって情報を有料で以て伝送することの全般を「テレデリバリー（電配）」と呼ぶことにして、その中の、「サーキットテレビジョン（回線テレビジョン）」。
【請求項２】
同じく電配（電話）回線を用いる新聞などの販売購読に用いる送信受信システムであって、購読者は、受信プリント機から、一定受付時間内例えばその時点で送信されている新聞などの送信が終わるまでの間内に、ダイヤルして購読したい新聞などの発行社の購読受付機を呼び出し、ダイヤルを次いで自分の電配（電話）番号を登録し、そしてその受付時間が終わると購読受付機が購読者電配番号を順次吐き出して交換接続機を作動させて新聞社などの送信機に購読者の受信プリント機を接続させ、終わると一斉に新聞などを送信するようにした、そして購読料を電話料金のように請求するようにした、「テレデリバリー」の中の「サーキットパブリケイション（回線発行）」の中の回線発行物一部売システム。
【請求項３】
同じく電配（電話）回線を用いる新聞の予約販売購読に用いる送信受信システムであって、購読者は、受信プリント機から、一定の時間にダイヤルして購読したい新聞社の予約購読受付機を呼び出し、ダイヤルを次いで自分の電配（電話）番号と購読期間の日数を登録し、購読期間内の日毎の一定時間に予約購読受付機から購読者電配番号を順次吐き出して交換接続機を作動させて新聞社の送信機に順次購読者の受信プリント機を接続させ、終わると一斉に新聞を送信するようにし、そして購読料請求用機を設けて電話料金のように購読料を請求するようにした、「テレデリバリー」の中の「サーキットバブリケーション」の中の回線新聞予約購読システム。
【請求項４】
同じく電配（電話）回線を用いる新聞などの即金販売購読に用いる送信受信システムであって、即金受信プリント機に、一定の受付時間内例えばその時点で送信している新聞などの送信が終わるまでの間内に、購読料を現金かプリペイドカードなどで投入してダイヤルして購読したい新聞などの発行社の購読受付機を呼び出し、組み込まれた電配（電話）番号を登録し、その受付時間が終わると購読受付機から購読者電配番号を順次吐き出して発行社の送信機に即金受信プリント機を接続させ、終わると一斉に新聞などを送信するようにした、「テレデリバリー」の中の「サーキットパブリケーション」の中の回線発行物即売システム。
【請求項５】
同じく電配（電話）回線を用いるニューステープの予約販売購買に用いる送信受信システムであって、購聴者は指定された時間に受信録音機からダイヤルして購聴したいニューステープ社の予約購聴受付機を呼び出し、ダイヤルを次いで自分の電配（電話）番号と購聴期間の日数を登録し、そして購聴期間の毎早朝の一定時間に予約購聴受付機から購聴者電配番号を吐き出して交換接続機を作動させ、ニューステープ社の送信機に購聴者のカセット化スチールテープなどを用いる受信録音機を接続させ、終わると一斉に音声ニュースを送信するようにし、そして購聴料請求用機を設けて電話料金のように購聴料を請求できるようにした、「テレデリバリー」の中のニューステープ回線発行システム。
【請求項６】
同じく電配（電話）回線を用いる音楽の販売購聴に用いる送信受信システムであって、購聴者は、受信機あるいは受信録音機から、一定の受付時間内例えばその時点で送信している音楽の送信が終わるまでの間内に、電配（電話）番号と購聴希望曲の番号をダイヤルして購聴したいレコード会社の購聴希望曲の購聴受付機を呼び出し、ダイヤルを次いで自分の電配（電話）番号を登録し、そしてその受付時間が終わると購聴受付機から購聴者の電配番号を順次吐き出して交換接続機を作動させてレコード会社の購聴希望曲の送信機に購聴者の受信機あるいは受信録音機を接続させ、終わると一斉に購聴希望曲を送信するようにし、そして購聴料請求用機を設けて購聴料を電話料金のように請求するようにした、「テレデリバリー」の中のサーキット音楽販売システム或いはサーキットレコード販売システム。
【請求項７】
「請求項１」における「サーキットテレビ」において、テレビ番組の送信は、各テレビ局が独自に送信ケイブルを架設（Ｉｎｓｔａｌｌ）あるいは埋設（ＬａｙＵｎｄｅｒＧｒｏｕｎｄ）して行ない、番組の視聴の、即時申込受付および予約申込受付は、既設あるいは新設の電話会社の電話回線を使用して、「請求項１」における「即時申込受付」の方法と同じ方法を以て或いは「請求項２」における「サーキットパブリケーション」における「予約申込受付」の方法と同じ方法で以て行なうようにした、サーキットテレビジョン。
【請求項８】
「請求項１」および「請求項７」における「サーキットテレビジョン」の番組の返信送信の一方法として、赤、緑、青の三原色の映像信号とそれから成る輝度信号そして１または２（ステレオ）の音声信号そして共通アースから成る計６あるいは７の信号を６ワイヤあるいは７ワイヤから成るケーブルを用いて送信するか、或いは、上記の６ワイヤあるいは７ワイヤの送信に代えて、輝度信号は、その合成を受信機において行なうようにして、計５ワイヤあるいは６ワイヤから成るケーブルで以て送信するか、或いは、現在の電波放送と同じ方式で即ち輝度信号と二つの色差信号（赤−黄、青−黄）及び１あるいは２の音声信号そして共通アースの計５信号あるいは６信号を５ワイヤあるいは６ワイヤから成るケーブルを用いて送信するようにする、「サーキットテレビジョン」あるいは別称「ヌーベルケーブルテレビジョン」の返信送信方法。
【請求項９】
「請求項８」における「ヌーベルケーブルテレビジョン」に代表される「テレデリバリー」における信号送信は、撮像あるいは録音したままを変調しないでそのまま低周波増幅してそしてそれを必要に応じた高電圧に変圧して送信するようにして、幅射損失および抵抗損失を大幅に軽減しうるようにする、「テレデリバリー」特に「ヌーベルケーブルテレビジョン」の返信送信方法。
【請求項１０】
「請求項９」における「ヌーベルケーブルテレビジョン」に代表される「テレデリバリー」において低周波選択同調を為しうるようにした、「テレデリバリー」の、特に「ヌーベルケーブルテレビジョン」や「ヌーベルケーブルラジオ」の受信機。
【請求項１１】
「請求項２」、「請求項３」、および「請求項４」における「サーキットパブリケーション」における送信受信方法においてはファクシミリ方式を使用して、特に返信送信機においては原稿送信機構に送信原稿をセットできるドラムを用いて同一原稿を容易に繰り返し送信しうるようにして（ドラムファックス送信機と呼ぶことにする）、そのドラムファックス送信機を各特定原稿毎に専用に受付返信するようにするか、或いはその特定原稿専用機を色々に組み合わせた返信を又は特定原稿専用機を一纏めにして返信を受付送信しうるようにしても宜しい、「サーキットパブリケーション」の中の返信送信機の一形態。
【請求項１２】
「請求項１１」における「サーキットパブリケーション」の返信送信機を、電配回線のみならず現在の電話回線のファクシミリ送信にも利用して、インターネット広告と同じような会社や製品やサービスなどの広告においても或いは新聞や官報や社報などの情報刊行においても返信を自動的に送信するようにした、即ち、返信送信機に電話番号をダイヤルすると、自動的に返信を開始してドラムにセットされている返信を送信するようにした、「サーキットパブリケーション」の変態である「サーキットファックスインホーメーション」と呼ぶことにする、ファクシミリ利用方法。
【請求項１３】
「請求項１２」における「サーキットファックスインホーメーション」において一定の同一時間内に返信の申込が混むことが予想される場合用には、「請求項２」における「サーキットパブリケーション」のシステムと同じような受付システムを用いて、一定時間内に返信申込受付を受け付けて、一定時間内にその受付申込先に一斉に返信しうるようにした、「サーキットファックスインホーメーション」。
【請求項１４】
「請求項１」における「サーキットテレビジョン」において「請求項１３」おける「サーキットファックスインホーメーション」における返信申込受付返信送信システムを用いて、一定時間内に目的番組の返信申込を受け付けて、その目的番組の放送時間にその申込受付先にその番組を一斉に放送しうるようにした、「サーキットテレビジョン」。
【請求項１５】
現在のワードプロセッサーやパーソナルコンピューターにおいて、外部機構に属する機構は全て「請求項１」における「テレデリバリー」を使用して機能するようにした、「サーキットワープロ」および「サーキットパソコン」と呼ぶことにする、ワードプロセッサーやパーソナルコンピューター。